【事件の表示】
　平成１１年特許願第２９４８８１号「液晶表示装置」拒絶査定不服審判事件〔平成１３年　４月２７日出願公開、特開２００１−１１７０７４〕について、次のとおり審決する。
【結　論】
　本件審判の請求は、成り立たない。
【理　由】
Ｉ．手続の経緯
　本願手続の概要は、次のとおりである。
　特許出願　　　　　　　　平成１１年１０月１８日
　拒絶理由通知書送付　　　平成１７年　３月　１日
　意見書・手続補正書提出　平成１７年　５月　６日
　拒絶査定送付　　　　　　平成１７年１１月　８日
　審判請求　　　　　　　　平成１７年１２月　８日
　手続補正書提出　　　　　平成１７年１２月　８日
　
　なお、上記平成１７年５月６日提出の手続補正書は、指定期間経過後に提出されたものであるため、平成１７年８月３日付けで手続却下の処分がなされている。
　
II．平成１７年１２月８日付け手続補正についての補正却下の決定
［Ｉ］補正却下の決定の結論
　平成１７年１２月８日付け手続補正を却下する。
　
［II］理由
１．本件補正
　平成１８年２月６日付け手続補正（以下、「本件補正」という。）は、本願特許請求の範囲の請求項１を
「【請求項１】　外部装置から入力する表示データから、フレーム毎の
画
　前記補正手段の出力に応じた階調電圧を
前記階調電圧線に転送する
　前記階調電圧を印加する走査ラインを順次選択する走査駆動回路と、
　前記信号駆動回路からの階調電圧を転送する階調電圧線と、前記走査駆動回路からの信号によって特定される走査ラインと、前記階調電圧線と前記走査ラインとがマトリックス状に配列され、その交点に対応して画素部を形成する液晶パネルとを有
し、
　前記画素部の応答特性は、縦軸が前記画素部の応答速度を示し横軸が変化前の表示データｈｅｘ．００に対する変化後の表示データを示すグラフ上で凹形状を形成する
　
２．独立特許要件
　本件補正は、特許請求の範囲の減縮を目的とするものと認められるので、以下に本件補正後の請求項１に係る発明（以下、「本願補正発明」という。）について、独立特許要件の検討を行う。
　
３．引用例・引用発明
　原査定の拒絶の理由に引用された特開平７−５６５３２号公報（以下、「引用例」という。）には、図とともに次の記載がある。
　
「【請求項１】  液晶パネルを用いて画像を表示する液晶パネル駆動装置において、
入力されたデジタル画像データを１フレーム分記憶する画像メモリと、
上記デジタル画像データと上記画像メモリから１フレーム遅れて読出される画像データの２入力によって決定される画像増減値データのテーブルを記憶したテーブルメモリと、
上記２入力を比較して増減の方向を判断する比較器と、
上記デジタル画像データと上記テーブルメモリから読出される画像増減値データとを上記比較器出力に従って加算あるいは減算する加減算器と、
この加減算器の出力に基づいて上記液晶パネルを表示駆動する駆動手段とを具備したことを特徴とする液晶パネル駆動装置。」
　
「【０００１】
【産業上の利用分野】本発明は、例えば液晶テレビ等に用いられる液晶表示パネルを駆動表示する液晶パネル駆動装置に関する。
【０００２】
【従来の技術】従来の液晶テレビは、一般に図４に示すように構成されている。同図において…。
【０００３】…このセグメント駆動回路6 は、Ａ／Ｄ変換器4 からのデータに従って階調信号を作成すると共に、さらにこの階調信号に基づいてセグメント電極駆動信号を作成し、ドットマトリックス型の液晶パネル8 のセグメント電極を表示駆動する。また、コモン駆動回路7 は、同期制御回路5 からのタイミング信号に従ってコモン電極駆動信号を再生し、液晶パネル8 のコモン電極を順次選択的に駆動する。」
　
「【０００９】
【実施例】以下本発明を液晶テレビに適用した一実施例について図面を参照して説明する。図１はその部分回路構成を示すもので、液晶テレビ全体の回路構成は上記図４で説明したものと基本的に同様であるので、同一部分には同一符号を用いてその図示及び説明を省略する。
【００１０】しかるに、Ａ／Ｄ変換器4 の出力する画像データは画像メモリ11、ＲＯＭ12、比較器13及び加減算器14のそれぞれに送られる。画像メモリ11は、１フレーム分の画像データを格納できるデュアルポートメモリであり、同期制御回路5 から与えられるメモリアドレス及び書込み／読出し命令に従って動作し、Ａ／Ｄ変換器4 から送られてくる例えば３ビットの画像データを順次記憶して１フレーム後にＲＯＭ12のアドレス端子Ｈ及び比較器13の端子Ｖにそれぞれ順次出力する。
【００１１】上記ＲＯＭ12のアドレス端子Ｌには、Ａ／Ｄ変換器4 から出力される画像データが直接入力される。このＲＯＭ12には、今回の画像データと１フレーム前の画像データとの差を示す増減値データがテーブルの形で予め記憶されており、アドレス端子Ｈ，Ｌにより選択されるアドレスに対応する増減値データが加減算器14へ読出される。
【００１２】上記比較器13の端子Ｕには、Ａ／Ｄ変換器4 から出力される画像データが直接入力される。この比較器13は、今回の画像データと１フレーム前の画像データとを比較することで増減の方向を判定し、判定結果を演算指定信号として上記加減算器14へ送出する。
【００１３】加減算器14は、Ａ／Ｄ変換器4 から直接送られてくる画像データとＲＯＭ12から送られてくる増減値データとを比較器13からの演算指令信号に従って加算あるいは減算することで階調の変化の度合いを強調した画像データを作成し、得られた画像データをセグメント駆動回路6 へ供給して液晶パネル8 で表示させる。
【００１４】次に上記実施例の動作を説明する。Ａ／Ｄ変換器4 の出力する画像データが前回の階調から今回の階調へと変化した際にセグメント駆動回路6 へ送出したい階調が例えば図２に示すような内容であるものとする。
【００１５】このとき、ＲＯＭ12のテーブルの内容として、出力したい階調から今回の階調を減算した値を格納させれば、ＲＯＭ12の出力が今回の階調からどれだけ増減すればよいかを示すデータとなる。
【００１６】図３はこのＲＯＭ12に格納される増減値データのテーブルを＋，−の符号を付して示すもので、実際には符号を取り去った数値のみの増減値データが読出され、加減算器14へ送出されることとなる。」
　
　また、図２には、前回の階調から今回の階調へと変化した際にセグメント駆動回路6 へ送出する階調データがテーブルとして示されており、その一番上の行のデータすなわち、前回の階調が０である場合のデータをみれば、今回の階調「０，１，２，３，４，５，６，７」に対して、セグメント駆動回路6 へ送出する階調データがそれぞれ「０，２，４，５，６，７，７，７」であることがみてとれる。
　
　上記記載において、段落【０００３】を参照すれば、【請求項１】の「液晶パネル」は「ドットマトリックス型の液晶パネル」であり、その「コモン電極」は「コモン駆動回路」により「順次選択的に駆動」され、また、その「セグメント電極」は「セグメント駆動回路」により「表示駆動」されるものであり、この「セグメント駆動回路」は、入力される階調データに従って階調信号を作成するものであることが理解される。
　また、【請求項１】の「入力されたデジタル画像データを１フレーム分記憶する画像メモリと、上記デジタル画像データと上記画像メモリから１フレーム遅れて読出される画像データの２入力によって決定される画像増減値データのテーブルを記憶したテーブルメモリと、上記２入力を比較して増減の方向を判断する比較器と、上記デジタル画像データと上記テーブルメモリから読出される画像増減値データとを上記比較器出力に従って加算あるいは減算する加減算器」が「外部装置から入力する表示データから、フレーム毎の画素部の表示内容が変化したことを検出し、前記表示データを補正する補正手段」を構成するものであることは明らかである。
　そして、上記記載によれば、【請求項１】の加減算器の出力、すなわち補正手段により補正された出力とは、前回の階調と今回の階調に応じて、図２にテーブルとして示されるものであることが理解される。
　
　以上のことから、引用例には
「外部装置から入力する表示データから、フレーム毎の画素部の表示内容が変化したことを検出し、前回の表示データの階調と今回の表示データの階調に応じて、今回の表示データを補正した図２のテーブルに示される補正データを出力する補正手段と、
　前記補正手段の出力データに応じた階調信号でセグメント電極を表示駆動するセグメント駆動回路と、
　コモン電極を順次選択的に駆動するコモン駆動回路と、
　前記セグメント駆動回路により駆動されるセグメント電極と、前記コモン駆動回路により駆動されるコモン電極を備えたドットマトリックス型の液晶パネルを有する液晶表示装置。」の発明（以下、「引用発明」という。）が記載されているものと認められる。
　
３．対比
　本願補正発明と引用発明を比較するに、引用発明の「補正手段」、「セグメント電極」、「セグメント駆動回路」、「コモン電極」及び「コモン駆動回路」が本願補正発明の「補正手段」、「階調電圧線」、「信号駆動回路」、「走査ライン」及び「走査駆動回路」にそれぞれ相当することが明らかであり、また、「ドットマトリックス型の液晶パネル」はコモン電極とセグメント電極の交点に対応して画素部を形成するものであることが技術常識であるから、引用発明の「ドットマトリックス型の液晶パネル」が本願補正発明の「液晶パネル」に相当するところであり、両者はともに、
「外部装置から入力する表示データから、フレーム毎の画素部の表示内容が変化したことを検出し、前記表示データを補正する補正手段と、
　前記補正手段の出力に応じた階調電圧を階調電圧線に転送する信号駆動回路と、
　前記階調電圧を印加する走査ラインを順次選択する走査駆動回路と、
　前記信号駆動回路からの階調電圧を転送する階調電圧線と、前記走査駆動回路からの信号によって特定される走査ラインと、前記階調電圧線と前記走査ラインとがマトリックス状に配列され、その交点に対応して画素部を形成する液晶パネルとを有する液晶表示装置。」の発明である点で一致する。
　
　一方、本願補正発明は、「前記画素部の応答特性は、縦軸が前記画素部の応答速度を示し横軸が変化前の表示データｈｅｘ．００に対する変化後の表示データを示すグラフ上で凹形状を形成する」とされているのに対し、引例にはこのような記載がない点で一応相違する。
　
４．相違点についての検討
　この点について検討するに、引用発明において、変化前の表示データ０に対する変化後の表示データについての補正後のデータは、前述のとおり、変化後の表示データ「０，１，２，３，４，５，６，７」について、それぞれ「０，２，４，５，６，７，７，７」である。
　このように引用発明は、変化後の表示データ５，６，７に対していずれも７の階調電圧を印加しているのであるから、０→７への応答時間よりは０→６への応答時間が短く、また０→６への応答時間よりも０→５への応答時間が短いことは明らかである。
　また、変化後の表示データ４に対しては６の階調電圧を印加しており、この場合には、７の階調電圧を印加した場合の０→４の応答時間より長いことが理解されるところであり、結局、引用発明のものも、画素部の応答特性は、本願補正発明と同様に「縦軸が前記画素部の応答速度を示し横軸が変化前の表示データｈｅｘ．００に対する変化後の表示データを示すグラフ上で凹形状を形成」しているものと考えられ、上記一応の相違点について、本願補正発明と引用発明との実質的な相違を認めることができない。
　
５．むすび
　したがって、本願補正発明は、上記引用例に記載された発明と変わるところはないから、特許法第２９条第１項第３号の発明に該当し、特許出願の際独立して特許を受けることができない。
　よって、本件補正は、平成１８年改正前特許法第１７条の２第５項で準用する同法第１２６条第５項に規定する要件を満たしていないので、同法第１５９条第１項で読み替えて準用する同法第５３条第１項の規定により却下すべきものである。
　
III．本願発明について
１．本願発明
　平成１７年１２月８日付けの手続補正は上記のとおり却下され、また、平成１７年５月６日付けの手続補正は前記のとおり手続却下の処分がなされているので、本願の請求項に係る発明は、本願の願書に最初に添付した明細書の請求項１ないし１１に記載された事項によって特定されるものであるところ、その請求項１に係る発明（以下、「本願発明」という。）は、次のとおりである。
「【請求項１】外部装置から入力する表示データから、フレーム毎の表示画素部の表示内容が変化したことを検出し、前記表示データを補正する補正手段と、
　前記補正手段の出力に応じた階調電圧を生成する信号駆動回路と、
　前記階調電圧を印加する走査ラインを順次選択する走査駆動回路と、
　前記信号駆動回路からの階調電圧を転送する階調電圧線と、前記走査駆動回路からの信号によって特定される走査ラインと、前記階調電圧線と前記走査ラインとがマトリックス状に配列され、その交点に画素部を形成する液晶パネルとを有することを特徴とする液晶表示装置。」
　
２．判断
　本願発明は、実質的に上記本願補正発明から「前記画素部の応答特性は、縦軸が前記画素部の応答速度を示し横軸が変化前の表示データｈｅｘ．００に対する変化後の表示データを示すグラフ上で凹形状を形成する」との事項を欠くものであるから、本願発明が上記引用例に記載された発明であることは、上記補正却下の決定の理由における検討から明らかである。
　　
３．むすび
　したがって、本願発明は、上記引用例に記載された発明であるから、特許法第２９条第１項第３号で規定する発明に該当し、特許を受けることができない。
　よって、結論のとおり審決する。